(57)【要約】【課題】どのようなサイズのテストチャートであっても、単にテストチャートを機器にセットするのみで容易に補正回路の較正データを作成することができる画像読取装置を提供する。【解決手段】操作パネルの表示画面に表示されたカラーγ補正実行画面で「実行」ボタンを押下すると、原稿がＡＤＦにセットされているか、ＦＢＳにセットされているかが判定され、原稿がセットされた方のカラーＣＣＤによりテストチャートが読み取られる（ステップ101〜105、109〜111）。次に、原稿のサイズがＡ３かＡ４かが判定され、セットされた原稿のサイズの座標でグレースケールの各パッチの対象範囲の濃度の平均値が演算された後、Ａ３テストチャートまたはＡ４テストチャートの各パッチの対象範囲の目標濃度に基づいてガンマ補正テーブルが生成される（ステップ106〜108、112、113）。【選択図】図６
2007215076.tif 000002
【特許請求の範囲】
【請求項１】
カラー画像を光電変換する光電変換素子と、前記光電変換素子から出力される各色アナログ信号を各色デジタル信号に変換するアナログ／デジタル変換器と、各色デジタル信号に補正を施す補正回路とを備えた画像読取装置において、
第１のサイズのテストチャートの複数ある濃度領域の目標濃度とその位置情報を記憶する第１の記憶部と、第１のサイズよりも大きいサイズのテストチャートの複数ある濃度領域の目標濃度とその位置情報を記憶する第２の記憶部と、テストチャートの大きさを検出するサイズ検出センサと、前記サイズ検出センサで検出されたサイズに基づき前記第１の記憶部または第２の記憶部のいずれかを選択し、前記光電変換素子で読み取って得られた各色のデジタル信号と、選択された記憶部に記憶された位置に対応する目標濃度とに基づき前記補正回路を較正するための較正データ生成手段とを備えたことを特徴とする画像読取装置。
【請求項２】
請求項１に記載された画像読取装置において、
前記補正回路がガンマ補正回路であることを特徴とする画像読取装置。
【請求項３】
請求項１または請求項２に記載された画像読取装置において、
前記較正データ生成手段が、テストチャートがオートドキュメントフィーダーにセットされたか、フラットベッドスキャナにセットされたかを判定することを特徴とする画像読取装置。
【請求項４】
テストチャートを光電変換素子で読み取り、補正回路を較正する画像読取装置の較正方法において、
読取部におかれたテストチャートの大きさを判別し、判別された大きさのテストチャートの複数ある濃度領域の目標濃度とその位置情報を記憶した記憶部を選択し、テストチャート上の所定位置における濃度と、前記記憶部から読み出した上記所定位置に対応する目標濃度とを比較し、補正回路を較正することを特徴とする画像読取装置の較正方法。
【発明の詳細な説明】
【技術分野】
【０００１】
本発明は、デジタル複合機やファクシミリ装置等の画像読取装置に関し、特に画像読取装置の読取信号に補正を施す補正回路の較正方法に関する。
【背景技術】
【０００２】
複写機能、ファクシミリ機能、プリント機能、スキャナ機能等を有する最近のデジタル複合機やファクシミリ装置等の画像読取装置では、最近、カラースキャナ機能を備えた機器が増加している。
このようにカラースキャナ機能を搭載した画像読取装置では、ＲＧＢの濃度特性の相違、すなわち、階調特性（γ特性）のバランスを調整するために、専用のテストチャートを読み取らせた時の値から、各色のγ補正テーブルを生成し、色差が少なくなるように調整している（例えば、特許文献１参照）。
また、オートドキュメントフィーダー（以下、ＡＤＦという）とフラットベッドスキャナ（以下、ＦＢＳという）との間でもバランスの差が生じるので、ＡＤＦ、ＦＢＳのそれぞれにおいてγ補正テーブルの自動作成を行い、この差を吸収するようにしている。
【特許文献１】特開２００５−１１７６６７号公報
【発明の開示】
【発明が解決しようとする課題】
【０００３】
上記のように、従来の画像読取装置では、各機台で同じカラー読取特性を有するようにγ補正テーブルのキャリブレーションを行っているが、原稿の読取サイズの最大がＡ４ならＡ４のテストチャートを、Ａ３ならＡ３のテストチャートを用いることが好ましく、工場出荷時には、このように最大読取サイズのテストチャートでキャリブレーションを実行している。
【０００４】
一方、光源、ＣＣＤや信号処理回路の回路素子などの部品の変更時には、フィールドでもこのようなキャリブレーションを行う必要がでてくるが、テストチャートは折ったりすると、その折り目に影などが生じ正確なキャリブレーションができなくなってしまう。特に、Ａ３ともなると、折ったり丸めたりすることができないので、Ａ４などサイズの小さいテストチャートに比べて持ち運びがさらに困難であり、サービスマンの作業負担となる。
【０００５】
このため、Ａ４のテストチャートで、最大読取サイズがＡ４やＡ３の装置のスキャナのキャリブレーションを行うようにしているが、このようなキャリブレーションを実行する場合、どのようなサイズのカラーテストチャートでキャリブレーションを実行するのかの設定や、ＡＤＦのキャリブレーションを行うのか、ＦＢＳのキャリブレーションを行うのかの設定を行わなければならず、作業者の負担が増加するとともに、γ補正テーブルの作成が煩雑となり、作業者が間違えてしまう可能性が高くなるという問題が生じていた。
【０００６】
本発明は、上記の問題に鑑みてなされたもので、どのようなサイズのテストチャートであっても、単にテストチャートを機器にセットするのみで容易に補正回路の較正を行うことができる画像読取装置及びその較正方法を提供することを目的とする。
【課題を解決するための手段】
【０００７】
上述の目的を達成するため、請求項１に係る発明の画像読取装置は、カラー画像を光電変換する光電変換素子と、前記光電変換素子から出力される各色アナログ信号を各色デジタル信号に変換するアナログ／デジタル変換器と、各色デジタル信号に補正を施す補正回路とを備えた画像読取装置において、第１のサイズのテストチャートの複数ある濃度領域の目標濃度とその位置情報を記憶する第１の記憶部と、第１のサイズよりも大きいサイズのテストチャートの複数ある濃度領域の目標濃度とその位置情報を記憶する第２の記憶部と、テストチャートの大きさを検出するサイズ検出センサと、前記サイズ検出センサで検出されたサイズに基づき前記第１の記憶部または第２の記憶部のいずれかを選択し、前記光電変換素子で読み取って得られた各色のデジタル信号と、選択された記憶部に記憶された位置に対応する目標濃度とに基づき前記補正回路を較正するための較正データ生成手段とを備えたことを特徴とする。
【０００８】
また、請求項２に係る発明の画像読取装置は、請求項１に記載された画像形成装置において、前記補正回路がガンマ補正回路であることを特徴とし、請求項３に係る発明の画像読取装置は、請求項１または請求項２に記載された画像読取装置において、前記較正データ生成手段が、テストチャートがオートドキュメントフィーダーにセットされたか、フラットベッドスキャナにセットされたかを判定することを特徴とする。
【０００９】
さらに、請求項４に係る発明の画像読取装置の較正方法は、テストチャートを光電変換素子で読み取り、補正回路を較正する画像読取装置の較正方法において、読取部におかれたテストチャートの大きさを判別し、判別された大きさのテストチャートの複数ある濃度領域の目標濃度とその位置情報を記憶した記憶部を選択し、テストチャート上の所定位置における濃度と、前記記憶部から読み出した上記所定位置に対応する目標濃度とを比較し、補正回路を較正することを特徴とする。
【発明の効果】
【００１０】
請求項１、請求項２に係る発明の画像読取装置及び請求項４に係る発明の画像読取装置の較正方法によれば、読取部におかれたテストチャートの大きさを判別し、判別された大きさのテストチャートの複数ある濃度領域の目標濃度とその位置情報を記憶した記憶部を自動的に選択するとともに、選択された記憶部から読み出したテストチャート上の所定位置における目標濃度と、テストチャート上の前記所定位置の読取信号の値とを比較することにより、補正回路が較正されるので、作業者がどのようなサイズのテストチャートでキャリブレーションを実行するかの設定を行うことなく、単にテストチャートを機器にセットするのみで容易に補正回路の較正データを生成することができる。
【００１１】
また、請求項３に係る発明の画像読取装置によれば、テストチャートがオートドキュメントフィーダーにセットされたか、フラットベッドスキャナにセットされたかが自動的に判定されるので、オートドキュメントフィーダーのキャリブレーションを行うのか、フラットベッドスキャナのキャリブレーションを行うかの設定を行う必要がなく、同様に、単にテストチャートを機器にセットするのみで容易に補正回路の較正データを生成することができる。
【実施例】
【００１２】
以下、本発明の画像読取装置をデジタル複合機に適用した実施例について説明する。図１はデジタル複合機を備えたシステムのネットワーク構成例を示す図であり、図２はデジタル複合機のハードウェア構成を示すブロック図である。
【００１３】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことも可能である。
【００１４】
図２はデジタル複合機１の制御系の構成を示す概略ブロック図であり、図に示すように、デジタル複合機１はＭＰＵ（Micro  Processing  Unit）１１、ＲＯＭ（Read  Only  Memory）１２、ＲＡＭ（Random  Access  Memory）１３、操作パネル１４、読取部１５、画像メモリ１６、記録部１７、モデム１８、ネットワーク制御ユニットＮＣＵ１９、及びＬＡＮインターフェース（Ｉ／Ｆ）２０から構成され、各部がバス２１を介して接続されている。
【００１５】
ＭＰＵ１１はバス２１を介してデジタル複合機１のハードウェア各部を制御するとともに、ＲＯＭ１２に記憶されたプログラムに基づいて各種のプログラムを実行し、ＲＯＭ１２はデジタル複合機の動作に必要な種々のプログラムや操作メッセージ及びＡ３、Ａ４のテストチャートの所定領域の位置情報とその位置情報に対応づけた目標濃度を予め記憶している。また、ＲＡＭ１３はＳＲＡＭ等で構成され、プログラムの実行時に発生する一時的なデータを記憶し、操作パネル１４は、デジタル複合機１の動作状態を表示したり、種々の機能の操作画面の表示を行う表示部と、デジタル複合機１を操作するための複数のキーよりなる。
【００１６】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、画像信号を出力する。
この読取部１５は、図に示すように、カラーＣＣＤ３１、カラー／白黒画像処理回路３２、メモリコントローラ３３、ページメモリ３４、コーデック３５、ＦＢＳ原稿センサ３６、ＡＤＦ原稿センサ３７よりなり、ＣＣＤ３１は、ＦＢＳ、ＡＤＦそれぞれに備えられている。
【００１７】
カラーＣＣＤ３１は、Ｒ、Ｇ、Ｂ、Ｋからなる４チャンネルＣＣＤであり、原稿をスキャンすることにより３つのカラー信号Ｒ、Ｇ、Ｂと１チャンネルモノクロ信号（Ｂ／Ｗ）を出力する。カラー／白黒画像処理回路３２は、カラーＣＣＤ３１からの画像信号に基づいて白黒及びＲ、Ｇ、Ｂの３色よりなる色成分のデジタル画像データ（８ビット）を生成し、ＲＧＢ画像データを色変換処理によってＹ、Ｃ、Ｃ（輝度、色差１及び色差２）の３成分の画像データや人間の視感度に等方的な表色系であるＬａｂに変換し、メモリコントローラ３３はこれらのデータをページメモリ３４に蓄積する。また、コーデック（ＪＰＥＧ用）３５はページメモリ３４に蓄積されたＹＣＣ多値データやＬａｂ多値データをＪＰＥＧ圧縮処理したり、圧縮処理データの復号処理を行う。
【００１８】
画像メモリ１６は、ＤＲＡＭ等を用いて構成され、送信すべき画像データまたは受信した画像データあるいは読取部１５で読み取った画像データを記憶し、記録部１７は白黒プリンタを備え、受信したデータ、コピー原稿データあるいは外部のパソコン２、３、４等から送信されたプリントデータをプリントアウトする。
この記録部１７は、図に示すように、メモリコントローラ３８、ページメモリ３９、コーデック４０、プリンタ画像処理回路４１、白黒プリンタ４２よりなり、プリント時には、メモリコントローラ３８が、画像メモリ１６からの画像信号をコーデック４０により復号し、１ページ分の画像データをページメモリ３９に記憶した後、この画像データをプリンタ画像処理回路４１に供給し、プリンタ画像処理回路４１が白黒プリンタ４２に白黒画像制御信号を入力する。
【００１９】
一方、モデム１８はバス２１に接続されており、ファクシミリ通信が可能なファクスモデムとしての機能を有し、このモデム１８は同様にバス２１に接続されたＮＣＵ１９と接続されている。ＮＣＵ１９はアナログ回線の閉結及び開放の動作を行うハードウェアであり、必要に応じてモデム１８をＰＳＴＮ５に接続する。
また、ＬＡＮインターフェース２０はＬＡＮ６に接続され、インターネット網７からの信号を受信する一方、ＬＡＮ６に対して信号やデータを送信するものであり、信号変換やプロトコル変換などのインターフェース処理を実行する。
【００２０】
デジタル複合機１は上記のような構成を備えており、ファクシミリ送信時には、原稿の画像データが読取部１５で読み取られ、コーデック３５で圧縮されて画像メモリ１６に蓄積される。この圧縮された画像データが画像メモリ１６から読み出されてモデム１８で変調され、ＮＣＵ１９からＰＳＴＮ５を通して通信相手先に送信される。また、ファクシミリ受信時には、受信した画像データがモデム１８で復調され、画像メモリ１６に蓄積された後、コーデック４０で復号されて白黒プリンタ４２により印刷される。  
【００２１】
次に、カラー／白黒画像処理回路３２の画像補正回路について説明する。
図３は画像補正回路の概要を示すブロック図であり、タイミング生成回路５１は、基準クロック（Ｃlk）に基づいて１画素単位のクロックを発生するとともに、この１画素単位のクロックを計数して１ラインの画素アドレスを出力し、このアドレスをデコードすることにより、シフトパルスやリセットパルス等のライン単位のＣＣＤ駆動信号やＣＣＤからの１ライン読取領域中の有効領域信号、ライン同期信号を出力する。そして、カラーＣＣＤ３１の白黒（Ｂ／Ｗ）センサは、タイミング生成回路５１からのタイミング信号に基づいて原稿画像を光学的に読み取り、白黒画像信号（Ｂ／Ｗ）をアナログフロントエンド（以下、ＡＦＥという）５２に出力し、ＡＦＥ５２は、このアナログデータをサンプル／ホールド及び増幅してＡ／Ｄ変換器５３に出力する。
【００２２】
Ａ／Ｄ変換器５３はアナログデータを例えば８ビットのデジタルデータ（２５６階調）に変換してシェーディング補正回路５４に入力し、シェーディング補正回路５４はデジタルデータに対して、光源の照度ムラ、ＣＣＤイメージセンサの各素子間の感度バラツキあるいはレンズ特性等を補正するシェーディング補正を行う。
また、γ補正テーブル５５はシェーディング補正回路５４の出力をテーブルに従ってガンマ補正を行って２値化回路５６に入力し、２値化回路５６はその画素が白か黒か（０か１か）の値に変換して出力する。
【００２３】
一方、カラーＣＣＤ３１のＲＧＢセンサからのアナログデータ出力は、タイミング生成回路５１の出力により入力切替を行うマルチプレクサ（ＭＰＸ）５７により順次選択されてアナログフロントエンド（ＡＦＥ）５８に入力され、上記と同様に、ＡＦＥ５８でサンプル／ホールド及び増幅されてＡ／Ｄ変換器５９に出力される。
【００２４】
Ａ／Ｄ変換器５９で８ビットのデジタルデータに変換された画像データは、シェーディング補正回路６０によりシェーディング補正基準値メモリ６１に記憶されている各色毎のシェーディング補正基準値に基づいて、光源の照度ムラ、ＣＣＤイメージセンサの各素子間の感度バラツキあるいはレンズ特性等を補正するシェーディング補正が実行される。すなわち、シェーディング補正基準値メモリ６１は記録用紙読み取り時のＡ／Ｄ変換器５９の出力をシェーディング補正データとして記憶し、シェーディング補正回路６０は原稿読み取り時のＡ／Ｄ変換器５９の出力をシェーディング補正データで補正して出力する。
【００２５】
そして、このシェーディング補正回路６０の出力は、タイミング生成回路５１の出力により出力切替を行うデマルチプレクサ（ＤＭＰＸ）６２により、Ｒ：ガンマ補正テーブル６３、Ｇ：ガンマ補正テーブル６４及びＢ：ガンマ補正テーブル６５に順次切り替えて出力され、各色のガンマ補正テーブルによって理想的な階調特性に合わせるべく、濃度補正（階調性補正制御）が実行される。
なお、ラインずれ補正メモリ６６、６７は、カラーＣＣＤ３１のＲ、Ｇ、Ｂ各成分のカラーイメージセンサの画像を読み取る位置が異なる為、各イメージセンサで読み取った同一走査ライン上の各出力がずれて出力されるので、このずれを補正してタイミングを一致させて出力させるためのものであり、Ｂ信号を基準として、Ｒ信号、Ｇ信号を遅延させて出力する。
【００２６】
一方、ガンマ補正テーブル生成回路６８は、読取部１５におかれたテストチャート上の所定位置の読取信号（濃度）の値と、Ａ３チャートの目標濃度メモリ６９またはＡ４チャートの目標濃度メモリ７０から読み出した各所定位置における目標濃度とを比較することによりガンマ補正テーブルを生成して、Ｒ：ガンマ補正テーブル６３、Ｇ：ガンマ補正テーブル６４及びＢ：ガンマ補正テーブル６５に供給するものであり、以下、このガンマ補正テーブル生成回路６８のガンマ補正テーブル生成時の作用について説明する。
【００２７】
図４は、テストチャートの一例を示す図であり、図に示すようにテストチャートの所定位置に、０％から１００％の範囲で順次濃度が濃くなる１０段階のパッチからなるグレースケールが印刷されており、この各パッチの補正のターゲットの目標濃度とその位置情報が、Ａ３チャート目標濃度メモリ６９とＡ４チャート目標濃度メモリ７０にそれぞれ記憶されている。
【００２８】
そして、工場出荷時のカラーγ特性作成時やフィールドでのサービスマンによるカラーγ特性作成時に、作業者が操作パネル１４の表示画面（図示せず）でメンテナンスを選択すると、図５に示すように、サービスメニューが表示されるので、この画面で作業者がカラーγ特性作成を選択すると、ＭＰＵ１１は、図６のフローチャートに示すカラーγ特性作成プログラムを開始し、まず、操作パネル１４の表示画面に図７に示すカラーγ補正実行画面を表示する（ステップ１０１）。
このカラーγ補正実行画面には、図に示すようにＡＤＦ、ＦＢＳそれぞれでのγ補正の有無及び「実行」ボタン、「中止」ボタンが表示されている。
【００２９】
カラーγ補正実行画面を表示すると、ＭＰＵ１１は、作業者により「中止」ボタンが押下されたか否かを判定し（ステップ１０２）、「中止」ボタンが押下されたと判定した場合、カラーγ補正実行画面を閉じ、プログラムを終了する。「中止」ボタンが押下されていないと判定した場合、ＭＰＵ１１は、「実行」ボタンが押下されたか否かを判定し（ステップ１０３）、「実行」ボタンが押下されていないと判定した場合、ステップ１０２に戻って再び「中止」ボタンが押下されたか否かを判定し、「実行」ボタンが押下されたと判定した場合、ＡＤＦ原稿センサ３７の出力に基づいてＡＤＦに原稿がセットされているか否かを判定する（ステップ１０４）。
【００３０】
ＡＤＦに原稿がセットされていると判定した場合、ＭＰＵ１１は、ＡＤＦのカラーＣＣＤ３１により原稿画像を読み取り、各色の濃度データをＲＡＭ１３に記憶した（ステップ１０５）後、ＡＤＦ原稿センサ３７の出力に基づいてＡＤＦに載置された原稿のサイズがＡ３か否かを判定する（ステップ１０６）。
原稿のサイズがＡ３であると判定した場合、ＭＰＵ１１は、Ａ３チャート目標濃度メモリ６９に記憶されているデータに基づいて、Ａ３原稿サイズの座標で各パッチの対象範囲の濃度の平均値を演算し、ＲＡＭ１３に記憶する（ステップ１０７）。すなわち、図４に示すテストチャートの各パッチの配置領域毎にその配置領域内の濃度の平均値を演算することにより各グレースケールの読み取り濃度を算出してＲＡＭ１３に記憶する。
また、ステップ１０６で原稿のサイズがＡ３でないと判定した場合、ＭＰＵ１１は、Ａ４チャート目標濃度メモリに記憶されているデータに基づいて、Ａ４原稿サイズの座標で各パッチの対象範囲の濃度の平均値を演算し、ＲＡＭ１３に記憶する（ステップ１０８）。
【００３１】
一方、ステップ１０４でＡＤＦに原稿がセットされていないと判定した場合、ＭＰＵ１１は、ＦＢＳ原稿センサ３６の出力に基づいてＦＢＳに原稿がセットされているか否かを判定し（ステップ１０９）、ＦＢＳに原稿がセットされていないと判定した場合、「テストチャートがセットされていません。」等のエラー表示を行った（ステップ１１０）後、プログラムを終了する。
また、ＦＢＳに原稿がセットされていると判定した場合、ＭＰＵ１１は、ＦＢＳのカラーＣＣＤ３１により原稿画像を読み取り、各色の濃度データをＲＡＭ１３に記憶した（ステップ１１１）後、上記と同様に、原稿のサイズがＡ３か否かを判定し（ステップ１０６）、ＦＢＳに載置された原稿のサイズの座標で各パッチの対象範囲の濃度の平均値を演算し、ＲＡＭ１３に記憶する（ステップ１０７、１０８）。
【００３２】
テストチャートの各パッチの対象範囲の濃度の平均値を演算した後、ＭＰＵ１１は、Ａ３チャート目標濃度メモリ６９またはＡ４チャート目標濃度メモリ７０に記憶されている各パッチの対象範囲の目標濃度と各対象範囲の読取濃度から図８に示すようなγ特性を算出する（ステップ１１２）。次に、ＭＰＵ１１は、図８に示すγ特性を補間処理することにより、図９（ａ）に示す、補間処理されたγ特性を算出した後、この補間処理されたγ特性と図９（ｂ）に示す目標γ特性の各値での差を目標γ特性の各値から差し引くことにより、図９（ｃ）に示すようなガンマ補正テーブルを生成する（ステップ１１３）。
上記の補正テーブル生成は、Ｒ、Ｇ、Ｂのそれぞれのセンサ毎に実行され、生成されたそれぞれのガンマ補正テーブルは、Ｒ：ガンマ補正テーブル６３、Ｇ：ガンマ補正テーブル６４及びＢ：ガンマ補正テーブル６５に供給される。
【００３３】
以上のように、テストチャートがＦＢＳにセットされたかＡＤＦにセットされたかを判別するとともに、読取部におかれたテストチャートの大きさを自動的に判別し、判別された大きさのテストチャート上の所定位置における目標濃度と当該所定位置の読取信号の濃度とを比較することにより、ガンマ補正回路が較正されるので、どのようなサイズのカラーテストチャートでキャリブレーションを実行するかの設定や、ＡＤＦのキャリブレーションを行うのか、ＦＢＳのキャリブレーションを行うかの設定を行うことなく、単にテストチャートを機器にセットするのみで容易にガンマ補正回路の較正を行うことができる。
【００３４】
なお、上記の実施例では、補正テーブル生成をソフトウェアによりＭＰＵ１１によって実行する例について説明したが、ガンマ補正テーブル生成回路によりハード的に補正テーブルを生成することも可能である。
また、上記の実施例では、Ａ３、Ａ４の二つのテストチャートを使用する例について説明したが、Ａ３、Ａ４以外のテストチャートを使用してもよく、また、３つ以上のサイズの異なるテストチャートを使用し、それぞれのテストチャートのグレースケールの目標濃度及び配置領域を記憶するようにしてもよい。
【００３５】
さらに、上記の実施例では、テストチャートの濃度の段階を１０段階にした例について説明したが、濃度の段階数は１０に限らず、１５段階等任意に選択することができ、また、上記の実施例では、本発明の画像読取装置をデジタル複合機に適用した例について説明したが、メール機能を持たない通常のファクシミリ装置やスキャナにも本発明を適用することが可能である。
【図面の簡単な説明】
【００３６】
【図１】デジタル複合機を備えたシステムのネットワーク構成例を示す図である。
【図２】デジタル複合機のハードウェア構成を示すブロック図である。
【図３】カラー／白黒画像処理回路の画像補正回路の概要を示すブロック図である。
【図４】ガンマ補正テーブル生成に使用するテストチャートの一例である。
【図５】サービスメニューの表示の一例である。
【図６】ガンマ補正テーブル生成時の作用を示すフローチャートである。
【図７】カラーγ補正実行画面の一例である。
【図８】各パッチの対象範囲の目標濃度と各対象範囲の読取濃度から算出したγ特性の一例である。
【図９】補間処理されたγ特性、目標γ特性及びガンマ補正テーブルの一例である。
【符号の説明】
【００３７】
１  デジタル複合機
２、３、４  パソコン
５  ＰＳＴＮ
６  ＬＡＮ
７  インターネット網
１１  ＭＰＵ
１２  ＲＯＭ
１３  ＲＡＭ
１４  操作パネル
１５  読取部
１６  画像メモリ
１７  記録部
１８  モデム
１９  ＮＣＵ
２０  ＬＡＮ  Ｉ／Ｆ
２１  バス
３２  カラー／白黒画像処理回路
３６  ＦＢＳ原稿センサ
３７  ＡＤＦ原稿センサ
【図１】
2007215076.tif 000003
【図２】
2007215076.tif 000004
【図３】
2007215076.tif 000005
【図４】
2007215076.tif 000006
【図５】
2007215076.tif 000007
【図６】
2007215076.tif 000008
【図７】
2007215076.tif 000009
【図８】
2007215076.tif 000010
【図９】
2007215076.tif 000011